(57)【要約】      （修正有）【課題】放送を受信し、字幕のＯＳＤ処理を行った映像を記録装置に出力する場合に、記録媒体の種類に適した映像のサイズ変換が可能な記録装置を提供する。【解決手段】受信された映像データに基づく映像に、該映像データとともに受信された字幕データに基づく字幕をオンスクリーンして記録する記録装置であって、前記字幕をオンスクリーンした映像のサイズを変換する変換部を備える。【選択図】図１
2011223609.tif 000002
【特許請求の範囲】
【請求項１】
ディジタルの動画像データをデコードし、復号動画像データを得る動画像データのデコ
ード手段と、
該復号動画像データを格納するメモリ手段と、  該復号動画像データの画像フォーマッ
トを変換し、フォーマット変換した動画像データを得る画像フォーマット変換手段と、
フォーマット変換した動画像データを出力する出力手段を備えたことを特徴とするデコ
ーダ装置。
【請求項２】
ディジタルの動画像データをデコードし、復号動画像データを得る動画像データのデコ
ード手段と、
該復号動画像データを格納するメモリ手段と、
該復号動画像データの画像フォーマットを変換し、フォーマット変換した動画像データ
を得る画像フォーマット変換手段と、
フォーマット変換した動画像データを表示する表示手段を備えたことを特徴とする受信
機。
【請求項３】
ディジタルの動画像データをデコードし、復号動画像データを得る動画像データのデコ
ード手段と、
該復号動画像データを格納するメモリ手段と、
該復号動画像データの画像フォーマットを変換し、フォーマット変換した動画像データ
を得る画像フォーマット変換手段と、
フォーマット変換した動画像データを記録する記録手段を備えたことを特徴とする受信
機。
【請求項４】
ディジタルの動画像データをデコードし、復号動画像データを得る動画像データのデコ
ード手段と、
該復号動画像データを格納するメモリ手段と、
該復号動画像データに第１のグラフィックスデータを混合し、第１のオンスクリーンデ
ータ混合動画像データを得る第１のオンスクリーンデータ多重化手段と、
該第１のオンスクリーンデータ混合動画像データの画像フォーマットを変換し、フォー
マット変換した動画像データを得る画像フォーマット変換手段と、
該フォーマット変換した動画像データに第２のグラフィックスデータを混合し、第２の
オンスクリーンデータ混合動画像データを得る第２のオンスクリーンデータ多重化手段と
、
該第２のオンスクリーンデータ混合動画像データを出力する出力手段を備えたことを特
徴とするデコーダ装置。
【請求項５】
請求項４に記載のデコーダ装置であって、
前記第１のオンスクリーンデータ混合動画像データと第２のオンスクリーンデータ混合
動画像データの両方を出力することを特徴とするデコーダ装置。
【請求項６】
ディジタルの動画像データをデコードし、復号動画像データを得る動画像データのデコ
ード手段と、
該復号動画像データを格納するメモリ手段と、
該復号動画像データに第１のグラフィックスデータを混合し、第１のオンスクリーンデ
ータ混合動画像データを得る第１のオンスクリーンデータ多重化手段と、
該第１のオンスクリーンデータ混合動画像データの画像フォーマットを変換し、フォー
マット変換した動画像データを得る画像フォーマット変換手段と、
該フォーマット変換した動画像データに第２のグラフィックスデータを混合し、第２の
オンスクリーンデータ混合動画像データを得る第２のオンスクリーンデータ多重化手段と
、
該第２のオンスクリーンデータ混合動画像データを表示する表示手段を備えたことを特
徴とする受信機。
【請求項７】
ディジタルの動画像データをデコードし、復号動画像データを得る動画像データのデコ
ード手段と、
該復号動画像データを格納するメモリ手段と、  該復号動画像データに第１のグラフィ
ックスデータを混合し、第１のオンスクリーンデータ混合動画像データを得る第１のオン
スクリーンデータ多重化手段と、
該第１のオンスクリーンデータ混合動画像データの画像フォーマットを変換し、フォー
マット変換した動画像データを得る画像フォーマット変換手段と、
該フォーマット変換した動画像データに第２のグラフィックスデータを混合し、第２の
オンスクリーンデータ混合動画像データを得る第２のオンスクリーンデータ多重化手段と
、
該第２のオンスクリーンデータ混合動画像データを記録する記録手段を備えたことを特
徴とする受信機。
【請求項８】
ディジタルの動画像データをデコードし、復号動画像データを得る動画像データのデコ
ード手段と、
該復号動画像データを格納するメモリ手段と、
該復号動画像データの画像フォーマットを変換し、第１のフォーマット変換した動画像
データを得る第１の画像フォーマット変換手段と、
前記復号動画像データの画像フォーマットを変換し、第２のフォーマット変換した動画
像データを得る第２の画像フォーマット変換手段と、
第１のフォーマット変換した動画像データと第２のフォーマット変換した動画像データ
の両方を出力する出力手段を備えたことを特徴とするデコーダ装置。
【請求項９】
ディジタルの動画像データをデコードし、復号動画像データを得る動画像データのデコ
ード手段と、
該復号動画像データを格納するメモリ手段と、
該復号動画像データに第１のグラフィックスデータを混合し、第１のオンスクリーンデ
ータ混合動画像データを得る第１のオンスクリーンデータ多重化手段と、
該第１のオンスクリーンデータ混合動画像データの画像フォーマットを変換し、第１の
フォーマット変換した動画像データを得る第１の画像フォーマット変換手段と、
前記第１の画像フォーマット変換手段でフォーマット変換した動画像データに第２のグ
ラフィックスデータを混合し、第２のオンスクリーンデータ混合動画像データを得る第２
のオンスクリーンデータ多重化手段と、
第１のオンスクリーンデータ混合動画像データの画像フォーマットを変換し、第２のフ
ォーマット変換した動画像データを得る第２の画像フォーマット変換手段と、
第１のフォーマット変換した動画像データと第２のフォーマット変換した動画像データ
の両方を出力する出力手段を備えたことを特徴とするデコーダ装置。
【請求項１０】
ディジタルの動画像データをデコードし、復号動画像データを得る動画像データのデコ
ード手段と、
該復号動画像データを格納するメモリ手段と、  該復号動画像データの画像フォーマッ
トを変換し、第１のフォーマット変換した動画像データを得る第１の画像フォーマット変
換手段と、
前記復号動画像データの画像フォーマットを変換し、第２のフォーマット変換した動画
像データを得る第２の画像フォーマット変換手段と、
第１のフォーマット変換した動画像データを表示する表示手段と、
第２のフォーマット変換した動画像データを記録する記録手段を備えたことを特徴とす
る受信機。
【請求項１１】
請求項８に記載のデコーダ装置であって、
動画像データのデコード手段は、マルチチャンネルの音声データのデコード手段を含み
、
該デコード手段で得る復号したマルチチャンネルの音声データからチャンネル数を減じ
るようにダウンミックスし、ダウンミックスした音声データを得るダウンミックス手段と
、
復号したマルチチャンネルの音声データとダウンミックスした音声データの両方を出力
する出力手段を備えたことを特徴とするデコーダ装置。
【請求項１２】
請求項１０に記載の受信機であって、
動画像データのデコード手段は、マルチチャンネルの音声データのデコード手段を含み
、
該デコード手段で得る復号したマルチチャンネルの音声データからチャンネル数を減じ
るようにダウンミックスし、ダウンミックスした音声データを得るダウンミックス手段と
、
復号したマルチチャンネルの音声データを出力する出力手段と、
ダウンミックスした音声データを記録する記録手段を備えたことを特徴とする受信機。
【請求項１３】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データと第２の動画像データに適用して、動画像データの画像フォー
マットを変換し、フォーマット変換した動画像データを得る画像フォーマット変換手段と
、
フォーマット変換した動画像データを出力する出力手段を備えたことを特徴とするデコ
ーダ装置。
【請求項１４】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データと第２の動画像データに適用して、動画像データの画像フォー
マットを変換し、フォーマット変換した動画像データを得る画像フォーマット変換手段と
、
フォーマット変換した動画像データを表示する表示手段を備えたことを特徴とする受信
機。
【請求項１５】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データと第２の動画像データに適用して、動画像データの画像フォー
マットを変換し、フォーマット変換した動画像データを得る画像フォーマット変換手段と
、
フォーマット変換した動画像データを記録する記録手段を備えたことを特徴とする受信
機。
【請求項１６】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データに第１のグラフィックスデータを混合し、第１のオンスクリー
ンデータ混合動画像データを得る第１のオンスクリーンデータ多重化手段と、
該第１のオンスクリーンデータ混合動画像データと第２の動画像データに適用して、動
画像データの画像フォーマットを変換し、フォーマット変換した動画像データを得る画像
フォーマット変換手段と、
該フォーマット変換した動画像データに、第２のグラフィックスデータを混合し、第２
のオンスクリーンデータ混合動画像データを得る第２のオンスクリーンデータ多重化手段
と、
該第２のオンスクリーンデータ混合動画像データを出力する出力手段を備えたことを特
徴とするデコーダ装置。
【請求項１７】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データに第１のグラフィックスデータを混合し、第１のオンスクリー
ンデータ混合動画像データを得る第１のオンスクリーンデータ多重化手段と、
該第１のオンスクリーンデータ混合動画像データと第２の動画像データに適用して、動
画像データの画像フォーマットを変換し、フォーマット変換した動画像データを得る画像
フォーマット変換手段と、
該フォーマット変換した動画像データに、第２のグラフィックスデータを混合し、第２
のオンスクリーンデータ混合動画像データを得る第２のオンスクリーンデータ多重化手段
と、
該第２のオンスクリーンデータ混合動画像データを表示する表示手段を備えたことを特
徴とする受信機。
【請求項１８】
ディジタルの動画像データをデコードし、第１の動画像データとして、復号動画像デー
タを得る動画像データのデコード手段と、
該復号動画像データを格納するメモリ手段と、  第２の動画像データを入力する画像デ
ータの取り込み手段と、
該第２の動画像データを前記メモリ手段に格納させる動画像データのメモリ格納手段と
、
前記第１の動画像データに第１のグラフィックスデータを混合し、第１のオンスクリー
ンデータ混合動画像データを得る第１のオンスクリーンデータ多重化手段と、
該第１のオンスクリーンデータ混合動画像データと第２の動画像データに適用して、動
画像データの画像フォーマットを変換し、フォーマット変換した動画像データを得る画像
フォーマット変換手段と、
該フォーマット変換した動画像データに、第２のグラフィックスデータを混合し、第２
のオンスクリーンデータ混合動画像データを得る第２のオンスクリーンデータ多重化手段
と、
該第２のオンスクリーンデータ混合動画像データを記録する記録手段を備えたことを特
徴とする受信機。
【請求項１９】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データの画像フォーマットを変換し、第１のフォーマット変換した動
画像データを得る第１の画像フォーマット変換手段と、
第２の動画像データの画像フォーマットを変換し、第２のフォーマット変換した動画像
データを得る第２の画像フォーマット変換手段と、
第１のフォーマット変換した動画像データと第２のフォーマット変換した動画像データ
を混合し、ピクチャインピクチャ形式の動画像データを得るピクチャインピクチャ手段と
、
ピクチャインピクチャ形式の動画像データを出力する出力手段を備えたことを特徴とす
るデコーダ装置。
【請求項２０】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データの画像フォーマットを変換し、第１のフォーマット変換した動
画像データを得る第１の画像フォーマット変換手段と、
第２の動画像データの画像フォーマットを変換し、第２のフォーマット変換した動画像
データを得る第２の画像フォーマット変換手段と、
第１のフォーマット変換した動画像データと第２のフォーマット変換した動画像データ
を混合し、ピクチャインピクチャ形式の動画像データを得るピクチャインピクチャ手段と
、
ピクチャインピクチャ形式の動画像データを表示する表示手段を備えたことを特徴とす
る受信機。
【請求項２１】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データの画像フォーマットを変換し、第１のフォーマット変換した動
画像データを得る第１の画像フォーマット変換手段と、
第２の動画像データの画像フォーマットを変換し、第２のフォーマット変換した動画像
データを得る第２の画像フォーマット変換手段と、
第１のフォーマット変換した動画像データと第２のフォーマット変換した動画像データ
を混合し、ピクチャインピクチャ形式の動画像データを得るピクチャインピクチャ手段と
、
ピクチャインピクチャ形式の動画像データを記録する記録手段を備えたことを特徴とす
る受信機。
【請求項２２】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データに第１のグラフィックスデータを混合し、第１のオンスクリー
ンデータ混合動画像データを得る第１のオンスクリーンデータ多重化手段と、
該第１のオンスクリーンデータ混合動画像データの画像フォーマットを変換し、第１の
フォーマット変換した動画像データを得る第１の画像フォーマット変換手段と、
第２の動画像データの画像フォーマットを変換し、第２のフォーマット変換した動画像
データを得る第２の画像フォーマット変換手段と、
第１のフォーマット変換した動画像データと第２のフォーマット変換した動画像データ
を混合し、ピクチャインピクチャ形式の動画像データを得るピクチャインピクチャ手段と
、
該ピクチャインピクチャ形式の動画像データに第２のグラフィックスデータを混合し、
第２のオンスクリーンデータ混合動画像データを得る第２のオンスクリーンデータ多重化
手段と、
該第２のオンスクリーンデータ混合動画像データを出力する出力手段を備えたことを特
徴とするデコーダ装置。
【請求項２３】
ディジタルの動画像データをデコードし、第１の動画像データとして、復号動画像デー
タを得る動画像データのデコード手段と、
該復号動画像データを格納するメモリ手段と、  第２の動画像データを入力する画像デ
ータの取り込み手段と、
該第２の動画像データを前記メモリ手段に格納させる動画像データのメモリ格納手段と
、
前記第１の動画像データに第１のグラフィックスデータを混合し、第１のオンスクリー
ンデータ混合動画像データを得る第１のオンスクリーンデータ多重化手段と、
該第１のオンスクリーンデータ混合動画像データの画像フォーマットを変換し、第１の
フォーマット変換した動画像データを得る第１の画像フォーマット変換手段と、
第２の動画像データの画像フォーマットを変換し、第２のフォーマット変換した動画像
データを得る第２の画像フォーマット変換手段と、
第１のフォーマット変換した動画像データと第２のフォーマット変換した動画像データ
を混合し、ピクチャインピクチャ形式の動画像データを得るピクチャインピクチャ手段と
、
該ピクチャインピクチャ形式の動画像データに第２のグラフィックスデータを混合し、
第２のオンスクリーンデータ混合動画像データを得る第２のオンスクリーンデータ多重化
手段と、
該第２のオンスクリーンデータ混合動画像データを表示する表示手段を備えたことを特
徴とする受信機。
【請求項２４】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データに第１のグラフィックスデータを混合し、第１のオンスクリー
ンデータ混合動画像データを得る第１のオンスクリーンデータ多重化手段と、
該第１のオンスクリーンデータ混合動画像データの画像フォーマットを変換し、第１の
フォーマット変換した動画像データを得る第１の画像フォーマット変換手段と、
第２の動画像データの画像フォーマットを変換し、第２のフォーマット変換した動画像
データを得る第２の画像フォーマット変換手段と、
第１のフォーマット変換した動画像データと第２のフォーマット変換した動画像データ
を混合し、ピクチャインピクチャ形式の動画像データを得るピクチャインピクチャ手段と
、
該ピクチャインピクチャ形式の動画像データに第２のグラフィックスデータを混合し、
第２のオンスクリーンデータ混合動画像データを得る第２のオンスクリーンデータ多重化
手段と、
該第２のオンスクリーンデータ混合動画像データを記録する記録手段を備えたことを特
徴とする受信機。
【請求項２５】
ディジタルの動画像データをデコードし、第１の動画像データとして、復号動画像デー
タを得る動画像データのデコード手段と、
該復号動画像データを格納するメモリ手段と、  第２の動画像データを入力する画像デ
ータの取り込み手段と、
該第２の動画像データを前記メモリ手段に格納させる動画像データのメモリ格納手段と
、
前記第１の動画像データと第２の動画像データに適用して、動画像データの画像フォー
マットを変換し、第１のフォーマット変換した動画像データを得る第１の画像フォーマッ
ト変換手段と、
前記第１の動画像データ適用して、第１の動画像データの画像フォーマットを変換し、
第２のフォーマット変換した動画像データを得る第２の画像フォーマット変換手段と、
第１のフォーマット変換した動画像データと第２のフォーマット変換した動画像データ
の両方を出力する出力手段を備えたことを特徴とするデコーダ装置。
【請求項２６】
ディジタルの動画像データをデコードし、第１の動画像データとして、復号動画像デー
タを得る動画像データのデコード手段と、
該復号動画像データを格納するメモリ手段と、
第２の動画像データを入力する画像データの取り込み手段と、
該第２の動画像データを前記メモリ手段に格納させる動画像データのメモリ格納手段と
、
前記第１の動画像データの画像フォーマットを変換し、第１のフォーマット変換した動
画像データを得る第１の画像フォーマット変換手段と、
第２の動画像データの画像フォーマットを変換し、第２のフォーマット変換した動画像
データを得る第２の画像フォーマット変換手段と、
第１のフォーマット変換した動画像データと第２のフォーマット変換した動画像データ
を混合し、ピクチャインピクチャ形式の動画像データを得るピクチャインピクチャ手段と
、
さらに前記第１の動画像データに対し画像フォーマットの変換を行い、第3のフォーマ
ット変換した動画像データを得る第3の画像フォーマット変換手段と、
前記ピクチャインピクチャ形式の動画像データと第3のフォーマット変換した動画像デ
ータの両方を出力する出力手段を備えたことを特徴とするデコーダ装置。
【請求項２７】
ディジタルの動画像データをデコードし、第１の動画像データとして、復号動画像デー
タを得る動画像データのデコード手段と、
該復号動画像データを格納するメモリ手段と、  第２の動画像データを入力する画像デ
ータの取り込み手段と、
該第２の動画像データを前記メモリ手段に格納させる動画像データのメモリ格納手段と
、
前記第１の動画像データと第２の動画像データに適用して、動画像データの画像フォー
マットを変換し、第１のフォーマット変換した動画像データを得る第１の画像フォーマッ
ト変換手段と、
前記第１の動画像データ適用して、動画像データの画像フォーマットを変換し、第２の
フォーマット変換した動画像データを得る第２の画像フォーマット変換手段とを有し、
第１のフォーマット変換した動画像データを表示する表示手段と、
第２のフォーマット変換した動画像を記録する記録手段を備えたことを特徴とする受信
機。
【請求項２８】
請求項２５に記載のデコーダ装置であって、
複数の動画像データを合成して合成した動画像データを作成する動画像データ合成手段
により、該合成した動画像データを第２の動画像データとすることを特徴とするデコーダ
装置。
【請求項２９】
請求項２６に記載のデコーダ装置であって、
複数の動画像データを合成して合成した動画像データを作成する動画像データ合成手段
により、該合成した動画像データを第２の動画像データとすることを特徴とするデコーダ
装置。
【請求項３０】
請求項２７に記載の受信機であって、
複数の動画像データを合成して合成した動画像データを作成する動画像データ合成手段
により、該合成した動画像データを第２の動画像データとすることを特徴とする受信機。
【請求項３１】
前記ディジタルの動画像データはディジタル放送用データであることを特徴とする請求
項１、４、５、８、９、１１、１３、１６、１９、２２、２５、２６、２８及び２９のい
ずれかに記載のデコーダ装置。
【請求項３２】
前記ディジタルの動画像データはディジタル放送用データであることを特徴とする請求
項２、３、６、７、１０、１２、１４、１５、１７、１８、２０、２１、２３、２４、２
７及び３０のいずれかに記載の受信機。
【発明の詳細な説明】
【技術分野】
【０００１】
符号化された動画像データを復号して出力するディジタルデータのディジタルデータの
受信機に関する。なお、以下においては、本発明をディジタル放送に適用したものについ
て説明するが、これに限らず、同様の仕組みで本発明をデータ通信などのデータの送受信
に関するものに適用することもできる。
【背景技術】
【０００２】
米国の地上波ディジタル放送のように、符号化動画像データの画像フォーマットが多様な
画像サイズを有する放送サービスの受信機に用いることが可能な符号化動画像データのデ
コード装置の例が特許文献１に示されている。この例では高精細動画像(HD:High Definit
ion)を、アナログ放送と同一のフォーマットである標準動画像(SD:Standard Definition)
にダウンサンプリングしながらデコードすることによって、複数の画像フォーマットへの
対応を容易化させる提案である。
【先行技術文献】
【特許文献】
【０００３】
【特許文献１】特開平8-205161号公報
【発明の概要】
【発明が解決しようとする課題】
【０００４】
しかしながら、画質、音声フォーマットが異なる２系統以上の放送を受信し出力する上で
例えば画像フォーマット変換を必要とするが、上記特許文献においては、ＯＳＤ機能やＰ
ｉｎＰ機能をどのような処理プロセスで実現すればよいかについて開示されていなかった
。
【０００５】
より具体的に言えば、例えば、デジタル放送で放送される字幕ＯＳＤと番組表表示のた
めのユーザインタフェース用ＯＳＤの重ね合わせフォーマット変換処理の間でどのように
処理すべきか、あるいは、ＰｉｎＰ処理をどの段階で行うかなどについては開示がなかっ
た。そのため、使い勝手のよいインターフェースをユーザに提供することは困難であった
【０００６】
本発明の目的は、上記した課題を鑑み、使い勝手のよいユーザインターフェースをユー
ザに提供することにある。
【課題を解決するための手段】
【０００７】
上記した目的を達成するため、本発明では、ディジタル放送の動画像データのデコード手
段と、該復号動画像データを格納するメモリ手段と、該復号動画像データに第１のオンス
クリーンデータを混合する第１のオンスクリーンデータ多重化手段と、該第１のオンスク
リーンデータ混合動画像データをフォーマット変換する第１の画像フォーマット変換手段
と、該フォーマット変換した動画像データに第２のグラフィックスデータを混合する第２
のオンスクリーンデータ多重化手段を備え、該第２のオンスクリーンデータ混合動画像デ
ータを出力させる。これにより、ディジタル放送の動画像データを任意の画像フォーマッ
トで出力でき、高画質な表示が可能になる。また、オンスクリーンデータも高画質な表示
を可能にする。また第２の画像フォーマット変換手段を備え、該第２のフォーマット変換
した動画像データを録画装置用の出力として出力することにより、従来のアナログ放送の
録画装置の使用を可能する。
【０００８】
さらに、アナログ放送の動画像データを入力する画像データの取り込み手段と、該アナロ
グ放送の動画像データを前記メモリ手段に格納させる動画像データのメモリ格納手段を備
えさせ、前記第１の画像フォーマット変換手段をアナログ放送の動画像データにも適用さ
せることにより、アナログ放送とディジタル放送の区別なく、動画像データの出力もしく
は表示を可能にする。
【発明の効果】
【０００９】
本発明によれば、使い勝手のよいユーザインターフェースを実現することができる。
【図面の簡単な説明】
【００１０】
【図１】図１は、本発明の第１の実施例であり、本発明をディジタル放送受信機に適用した構成図である。
【図２】図２は、画像フォーマットを変換するリフォーマッタの構成図である。
【図３】図３は、第１の実施例におけるリフォーマッタの動作モードを説明する図である。
【図４】図４は、本発明の第２の実施例であり、本発明をディジタル放送受信機に適用した構成図である。
【図５】図５は、第２の実施例におけるリフォーマッタの動作モードを説明する図である。
【図６】図６は、本発明の第３の実施例であり、本発明をディジタル放送受信機に適用した構成図である。
【図７】図７は、本発明の第４の実施例であり、本発明をディジタル放送受信機に適用した構成図である。
【図８】図８は、NTSCデコーダと入力プロセッサの構成図である。
【図９】図９は、本発明の第５の実施例であり、本発明をディジタル放送受信機に適用した構成図である。
【図１０】図１０は、本発明の第６の実施例であり、本発明をディジタル放送受信機に適用した構成図である。
【図１１】図１１は、本発明の第７の実施例であり、本発明をディジタル放送受信機に適用した構成図である。
【図１２】図１２は、本発明の第１の実施例であり、本発明をディジタル放送受信機に適用した構成図である。
【図１３】図１３は、本発明の第１の実施例であり、本発明をディジタル放送受信機に適用した構成図である。
【図１４】図１４は、本発明の第４の実施例であり、本発明をディジタル放送受信機に適用した構成図である。
【図１５】図１５は、本発明の第４の実施例であり、本発明をディジタル放送受信機に適用した構成図である。
【図１６】図１６は、本発明の第５の実施例であり、本発明をディジタル放送受信機に適用した構成図である。
【図１７】図１７は、本発明の第５の実施例であり、本発明をディジタル放送受信機に適用した構成図である。
【発明を実施するための形態】
【００１１】
以下本発明の最良の実施形態を添付図面を用いて説明する。同一記号や番号は、同一の
機能を有するものとする。
【実施例１】
【００１２】
図１は、本発明の第１の実施例であり、本発明をディジタル放送の受信機に適用した構成図である。図１において、1はディジタル放送アンテナ、2はディジタル放送チューナ、3はフロントエンド回路、4はデスクランブラ、5はトランスポートデマルチプレクサ、6はクロック発生器、7はシステムコントローラ、8はメモリ、9はメモリインタフェース、10はメモリバス、11はビデオヘッダパーサ、12はビデオデコーダ、13は第１のオンスクリーンディスプレイ回路(OSD回路と以下記す)、14はリフォーマッタ、15は第２のOSD回路、16は第１のディジタル・アナログ変換器(DACと以下記す)、17はモニタ駆動回路、18モニタ、19はオーディオヘッダパーサ、20はオーディオデコーダ、21は第２のDAC、22はスピーカ駆動回路、23はスピーカである。
【００１３】
放送電波をディジタル放送アンテナ1で受け、ディジタル放送チューナ2で周波数変換する。フロントエンド回路3は例えば8-PSK変調されている受信信号を復調し、さらに伝送誤りを誤り訂正パリティを用いて補正し、トランスポートストリームを出力する。該トランスポートストリームは、有料放送においてはその主なディジタルデータは、スクランブルされたものとなっており、システムコントローラ7からの鍵情報を補助入力として(システムコントローラ7の周りの詳細な結線は、図面を煩雑にしてしまうため省略している)、デスクランブラ4でスクランブルを解除する。またトランスポートストリームには、幾つかの異なる内容の番組が多重化されることが一般的であり、トランスポートデマルチプレクサ5は、この複数の番組の中から使用者の希望する番組をシステムコントローラ7を介して指示を受け、1つの番組を分離し、さらに符号化された動画像データを構成する符号化ビデオデータと符号化オーディオデータに分離し、それぞれの符号化データをメモリバス10、メモリインタフェース9を介し、メモリ8の中の専用領域の中に一時格納する。またこのトランスポートデマルチプレクサ5は、動画像データ以外にも多重されている前記鍵情報やそれぞれの番組をどのように多重しているかを示す番組多重テーブル情報などを同時に分離し、前記システムコントローラ7に送出することも行う。これらの送出は、1つの番組を分離、選択する前に行われる。
【００１４】
またトランスポートデマルチプレクサ5は、トランスポートストリームの中から時刻情報
を抽出し、クロック発生器6へ送出する。クロック発生器6では、デコーダ装置の時刻を送
信側と同一になるよう内部のタイマーをコントロールするとともに、デコーダ装置内で使
用するクロック信号を、該タイマー情報に同期させて発生させる。図中では、記述の煩雑
さを避けるためにクロック信号の分配線については省略している。
【００１５】
メモリ8に格納した符号化ビデオデータは、メモリ8から読み出し、ビデオヘッダパーサ11でヘッダ情報として画像サイズなどのフォーマット情報を得、該フォーマット情報をビデオデコーダ12およびシステムコントローラ7に送る。またビデオヘッダパーサ11は、符号化ビデオデータの内容に関連した、例えばクローズドキャプションの字幕データなども抽出し、システムコントローラ7に送る。ビデオデコーダ12は該抽出した画像フォーマット情報にしたがって、符号化ビデオデータのデコードを行うが、そのデコード過程にて、デコードした画像データをメモリバス10、メモリインタフェース9を介してメモリ8の所定のフレームメモリ領域に書き込む。前記したようにフレームメモリ領域は3フレーム相当分あり、IピクチャおよびPピクチャは、PピクチャおよびBピクチャのデコードに際し、参照フレームの画像データとして読み出す。これらデコード動作が一般には、2つのフィールドを合わせたフレームの画像データとして生成されるのに対し、ビデオデコーダ12の出力では、表示フレーム順に並び替えながら、それぞれのフィールド毎に、走査線順に前記メモリ8のフレームメモリ領域から画像データを読み出し、出力する。
【００１６】
第1のOSD回路13は、ビデオデコーダ12の出力画像データにオンスクリーンデータをミックスする。ミックスするオンスクリーンデータは、前記したクローズドキャプションの字幕データからシステムコントローラ7が表示用に加工したデータである。該表示用に加工したデータは、予め第1のOSD回路13に送出する前にメモリ8に格納しており、第1のOSD回路13が出力画像データに合わせてデータを要求する度に、メモリインタフェース9、メモリバス10を介して、第1のOSD回路13に供給し、出力画像データとオンスクリーンデータを同期させて混合する。さらに混合した画像データは、リフォーマッタ14に供給する。
【００１７】
図２は画像フォーマットを変換するリフォーマッタ14の構成図である。図２において、14
1、142、143、144はセレクタであり、3つの入力A、B、Cよりいずれか1つを選択し出力す
る。145はメモリコントローラ、146は水平サイズ変換器、147は垂直サイズ変換器である
。141〜144のセレクタは、符号化ビデオデータの画像サイズと後述するモニタ18に表示す
る画像サイズの比に応じて、前記システムコントローラ7によってA、B、Cいずれの入力を選択するかを制御する。
【００１８】
図３はこのリフォーマッタ14の動作モードを説明する図である。モニタ18に表示する画像
データのフォーマットとして、高精細画像(HDTV)として良く知られた水平1920画素(有効
分)、垂直1080ライン(有効分)、フレーム周波数30Hz、2:1インタレース走査、画面アスペ
クト比16:9を想定している。図中には、水平サイズ変換器146と垂直サイズ変換器147にお
けるそれぞれのサイズ変換係数と4つのセレクタがいずれの入力を選択するかを示してい
る。例えば第1のOSD回路13の出力であるリフォーマッタ14への入力の画像サイズが図３の上から3段目の水平1280画素×垂直720走査線で、画面アスペクト比が16:9でフレーム周波数が60Hzのプログレッシブフォーマットを有する場合、水平サイズ変換比を(3/2)倍として画素数を1280画素から1920画素に変換し、垂直サイズ変換比を(3/4)倍として、720走査線を1080/2走査線に変換する。さらにプログレッシブをインタレースに変換するために、60Hzのフレームをそれぞれフィールドに対応づけ、2つのフィールドの走査線間の位相を異ならせるようにする。
【００１９】
リフォーマッタ14は、メモリコントローラ145を有しており、ファーマット変換した画像
データを所定のデータレートで出力するために、メモリバス10などを介してメモリ8を使
用する。メモリ8の使用容量、メモリバス10のデータバンド幅を最小化するよう、セレク
タ141〜144が設けられている。即ち水平サイズ変換器146および垂直サイズ変換器147は、
その変換比が1より小さい場合には、メモリコントローラ145の前に配置されるようセレク
タ141〜144が制御され、逆にサイズ変換比が1より大きい場合には、メモリコントローラ1
45の後に配置されるよう制御される。
【００２０】
上記した例では、垂直サイズ変換係数が1より小さいので、セレクタ143はAを選択し、入
力画像データを垂直サイズ変換器147に入力し、その出力がメモリコントローラ145の入力
となるようにセレクタ141はCを選択させ、メモリ8に書き込む。その後、所定レートに沿
うように読み出す。メモリ8より読み出した画像データは、メモリコントローラ145から出
力するが、セレクタ142にてBを選択させることにより、水平サイズ変換器146の入力とす
る。水平サイズ変換器146をメモリコントローラの後段に配置するのは、そのサイズ変換
比が1より大きいためである。もし両方のサイズ変換比がいずれも1より大きい場合には、
垂直サイズ変換器147と水平サイズ変換器146の両方がメモリコントローラ145の後に配置
されるが、垂直サイズ変換器147を水平サイズ変換器146の前に配置する。これは、垂直サ
イズ変換器147にあるラインバッファ(図示略)のサイズを小さくするのに効果がある。同
様の理由で、サイズ変換比の両方が1より小さく、垂直サイズ変換器147と水平サイズ変換
器146の両方がメモリコントローラ145の前に配置される場合には、水平サイズ変換器146
を垂直サイズ変換器147に先行させる。例示したケースに話を戻せば、最後にセレクタ144
で水平サイズ変換器146の出力を選択し(Bを選択)、リフォーマッタ14の出力とする。
【００２１】
図１に戻り、さらに説明を続ける。リフォーマッタ14の出力は、第2のOSD回路15に入力する。該第2のOSD回路15は、例えば番組ガイドなどのグラフィックスデータを、入力画像データにミックスする。グラフィックスデータがミックスされた第2のOSD回路15の出力は、第1のDAC16にてアナログ信号に変換され、モニタ駆動回路17を介して、モニタ18の画面に表示する。
【００２２】
前記第2のOSD回路15でミックスするグラフィックスデータは、前記システムコントローラ7が生成し、予めメモリ8に貯えさせておいて、第2のOSD回路15がシステムコントローラ7の指示に基づいてメモリ8から読み出すものである。例えば番組ガイドの場合、その内容については、前記したデマルチプレクサ5がトランスポートストリームから分離した番組多重テーブル情報に沿って、文字コードをフォント変換してグラフィックスデータとし、背景のグラッフィックスと混合して生成する。該第2のOSD回路15で混合するグラフィックスデータは、リフォーマッタ14の出力の画像フォーマットに準拠したものであり、ビデオデコーダ12がデコードする符号化ビデオデータの画像フォーマットではない。このため、文字等のグラッフィクスデータは、その後大きな処理を受けずにモニタ18に表示し、高画質なグラッフィクスデータを表示できる。番組ガイドは、ユーザが番組を選択するに際し用いられるものであり、高画質な文字のグラッフィクスデータを表示できることは、ユーザインタフェースの高品質化につながるものである。
【００２３】
符号化オーディオデータは、オーディオヘッダパーサ19にてメモリ8より読み出す。オーディオヘッダパーサ19は、符号化方式を特定し、符号化オーディオデータから同期情報を検出し、サンプリング周波数などのオーディオパラメータを抽出し、オーディオデーコーダ20に知らせる。オーディオデコーダ20では、これらのオーディオパラメータを用いて符号化オーディオデータを復号し、オーディオデータを得る。該デコードしたオーディオデータは、第2のDAC21でアナログオーディオ信号に変換し、スピーカ駆動回路22を介して、スピーカ23より出力する。
【００２４】
以上説明した実施例によれば、リフォーマッタ14の動作設定を符号化ビデオデータの画像フォーマットに基づいて適切に設定することにより、複数の画像フォーマットを1つの画像フォーマットに変換してモニタ18へ表示することを可能とする。このことは、モニタ18の走査偏向回路(図示略)を簡単にさせることが出来、受信機全体のコストの低減に役立つ。また、符号化動画像データのデコーダ装置(アンテナ1から第1と第2のDAC16、21まで)とモニタ駆動回路17、モニタ18、およびスピーカ駆動回路22、スピーカ23とを別々の装置として提供する場合、符号化符号化動画像データのデコーダ装置の出力を現行のアナログ放送と同一の画像フォーマットに設定することによって、従来のアナログ放送向け受信機をモニタ装置として用いることも可能にさせる。
【００２５】
さらに本実施例では、OSD回路を2個(13、15)有しており、放送される符号化ビデオデータの画像フォーマットで表示するのに適した番組固有情報とユーザインタフェースを改善するためのオンスクリーン表示情報を別々にデコードした画像データに多重できる。このこともまた、モニタ18への表示を1つの画像フォーマットで行うことに有用である。
【実施例２】
【００２６】
次に図４を用いて、本発明の第2の実施例について説明する。ただし図４において、図１と同じ番号を付しているものは既に説明済みであり、説明は図１との違いについてのみ行う。
【００２７】
図４において、図１の第1の実施例に対して、第2のリフォーマッタ24、第3のDAC25、記録出力回路26、記録装置27が追加されている。
【００２８】
前記第1のOSD回路13の出力画像データは、前記リフォーマッタ14(以下第1のリフォーマッタと記す)に加え、第2のリフォーマッタ24にも供給する。該第2のリフォーマッタ24の構成もまた図２を用いて説明した第1のリフォーマッタと同一である。この第2のリフォーマッタは、その出力の画像フォーマットを、符号化ビデオデータの画像フォーマットのいかんに関らずアナログ放送と同一のSDTVに変換し、DACを介してビデオテープ等の記録媒体へ出力する。あるいは、第2のリフォーマッタは、その出力の画像フォーマットを、符号化ビデオデータの画像フォーマットのいかんに関らずデジタル放送と同一のHDTVに変換し、DACを介さずにＤＶＤ、Ｄ−ＶＨＳ等の記録媒体へ出力する。図４では、モニタ18と記録装置２７をともに備えた構成となっているが、図１の駆動回路17、モニタ18を出力回路26、記録装置27に置き換えた内臓ＶＴＲの構成としたり、図１のDAC16、駆動回路17、モニタ18を出力回路26、記録装置27に置き換えた内臓ＤＶＤの構成としてもよい。これらの図を図１２、１３に示す。なお、各図面ではリフォーマッタが別々のブロック図で示されているが、第１、第２のリフォーマッタを共用して一つのリフォーマッタとしても構わない。
【００２９】
図５は、各種入力画像フォーマットに対し、第2のリフォーマッタ24でSDTVの出力を得る
ためのサイズ変換比、およびセレクタ141〜144の設定を示す図である。さらに第2のリフ
ォーマッタ24の出力は、第3のDAC、記録出力回路26を介して、記録装置27への記録を行う。なお記録装置27は、本発明のデコーダ装置および受信機と同一の装置として構成しても良いが、別々の装置として提供しても良いことは言うまでもない。
【００３０】
本実施例は、ビデオテープ、ＤＶＤ、Ｄ−ＶＨＳなどのような記録媒体への録画のために
録画向けの画像データを得るために第2のリフォーマッタ24を備えていることを特徴とし
ている。特に第2のリフォーマッタ24の出力画像フォーマットをSDTVに設定した場合、既
に広く普及しているVHS方式のような安価なVTRを使用することが可能となり、HDTVに設定した場合、今後広く普及されると考えられるＤＶＤやＤ−ＶＨＳを使用することが可能となる。
【実施例３】
【００３１】
次に図６を用いて、本発明の第3の実施例について説明する。本実施例の説明においても
既に説明した実施例と重複するものは説明を省略する。
【００３２】
図６は、図４の第2の実施例に対して、ダウンミキサ28および第4のDAC29を追加している。ダウンミキサ28は、オーディオデコーダ20でデコードする例えば3/2方式のマルチチャンネルオーディオデータを2CHもしくはモノラルのオーディオデータにダウンミックスするものであり、前記オーディオヘッダパーサ19で符号化オーディオデータの中からダウンミックスの最適パラメータを抽出し、それに従ってダウンミックスする。ダウンミックスしたオーディオデータは、第4のDAC29を介し前記記録出力回路26へ送出し、記録装置27でビデオ信号とともに記録する。
【００３３】
本実施例では、放送局側で指示するダウンミックスパラメータを忠実に反映させることが
出来、高音質な記録が可能となる。
【００３４】
また本実施例の変形例として、このダウンミキサ28および第4のDAC29の出力であるダウンミックスしたオーディオ信号をスピーカ駆動回路17へ供給する構成としても良い。この場合、第2のDAC21は不要であり、スピーカ23もマルチチャンネルそれぞれに対応した個数に比べ減じる事が出来るので、受信機の低コスト化につながる。
【実施例４】
【００３５】
次に図７を用いて、本発明の第4の実施例について説明する。これまでの説明同様、既に
説明したものについては説明を略す。
【００３６】
図７において、30はアナログ放送アンテナ、31はアナログ放送チューナ、32はNTSCデコーダ、33は入力プロセッサである。アナログ放送アンテナ30、およびアナログ放送チューナ31は、従来のアナログ放送を受信するためのものである。アナログ放送を受信したビデオ信号をモニタ18に表示させることをユーザが選択する場合には、然るべきユーザインタフェース(例えば図示していないリモコン装置)を介し、システムコントローラ7が通知を受け、そのことを必要なブロックに転送する。本モードにおいて、アナログ放送アンテナ30で受信し、アナログ放送チューナ31で周波数変換したアナログ放送信号は、NTSCデコーダ32にて、コンポーネント(輝度信号と色差信号が分離された)信号に変換する。該コンポーネント信号は、入力プロセッサ33、セレクタ40、リフォーマッタ14を介して、メモリバス10、メモリインタフェース9を経てメモリ8に格納する。なお図４において説明したように、図７の駆動回路17、モニタ18を出力回路26、記録装置27に置き換えた内臓ＶＴＲの構成としたり、図７のDAC16、駆動回路17、モニタ18を出力回路26、記録装置27に置き換えた内臓ＤＶＤの構成としてもよい。これらの図を図１４、１５に示す。
【００３７】
図８は、NTSCデコーダ32と入力プロセッサ33の構成図である。図８において、321はくし
型フィルタ、322はカラーデコーダ、323は輝度信号遅延回路、324は同期分離回路、331、
332、333は第1から第3のアナログ・ディジタル変換器(以下ADCと記す)、334はマルチプレクサ、335はアナログクロック発生器、336はイネーブル信号生成器、337はアドレス生成器である。
【００３８】
アナログ放送チューナ31より入力するアナログビデオ信号は、周知のごとく輝度信号と2
つの色差信号を多重したコンポジット信号である。このコンポジット信号の形式には、日
本、北米で用いられているNTSC方式と欧州(仏を除く)で用いられているPAL方式、仏、露
で用いられているSECAM方式があるる。本図ではNTSC方式の場合について説明しているが、本発明がNTSC方式に限定されるものではなく、PAL方式、SECAM方式に適用できることは言うまでもない。前記アナログ放送チューナ31より入力するNTSC信号はくし形フィルタ321で輝度信号と色信号とを分離し、色信号はカラーデコーダ322で例えば(R-Y)と(B-Y)と呼んでいる2つの色差信号を生成する。一方輝度信号は輝度信号遅延回路323にて、前記2つの色差信号とで遅延時間を一致させる。また同期分離回路324では、NTSC信号の水平ならびに垂直同期信号を検出する。これら色差信号、輝度信号、水平および垂直同期信号は、入力プロセッサ33に出力する。
【００３９】
入力プロセッサ33のアナログクロック発生器335は、前記水平同期信号を逓倍し、例えば1
3.5MHzのクロック信号を生成する。該クロック信号は、3つのADC331〜333に供給し、これらのADC331〜333に入力する色差信号と輝度信号をディジタルデータに変換する。ディジタルデータに変換された色差信号と輝度信号はマルチプレクサ334に供給する。また入力プロセッサ33には、前記デコーダ装置のクロック発生器6で生成するディジタルクロックも供給する。該ディジタルクロックは、前記アナログクロック発生器335で生成するクロック信号よりも高周波であり、例えば54MHzとか81MHzの周波数であるが、前記トランスポートストリームの符号化ビットストリームの画像データに同期させたものであり、アナログクロック発生器335で生成するクロック信号とは一般に同期したものとはなっていない。ディジタルクロックは、マルチプレクサ334、イネーブル信号生成器336、アドレス生成器337に入力する。
【００４０】
イネーブル生成器336では、前記アナログクロック発生器335で生成するクロック信号を入
力して、ディジタルクロックの1サイクルの期間で、3つのADC331〜333から出力するディジタルデータを確定できるタイミングでイネーブル信号を生成する。具体的には、81MHzは13.5MHzの6倍であるが、周波数同期がされていないため81MHzのディジタルクロックの5〜7回のクロックの立ち上がりエッジが13.5MHzの1サイクルに含まれる。イネーブル信号は、13.5MHzの1サイクルの中で81MHzの1サイクル期間のデータ確定期間を示し、該イネーブル信号を用いて、マルチプレクサ334がディジタルクロックで前記ディジタルデータに変換された色差信号と輝度信号を取り込み、非同期-同期クロック変換する。また該イネーブル信号は、アドレス信号生成器337にも供給し、マルチプレクサ334にてマルチプレクスしたディジタルデータの画面位置に対応したアドレス信号を生成し、出力する。この結果、ディジタル放送で送られるトランスポートストリームとは同期していないアナログ放送信号を、前記ディジタルクロックで処理することが可能となる。なお図８に示した入力プロセッサ33は、ディジタルクロックでマルチプレクスする場合を示しているが、輝度信号と色差信号を一部もしくは全てをアナログ信号の状態でマルチプレクスし、これをディジタル変換し、その後ディジタルクロックのタイミングに非同期-同期クロック変換する方法もある。
【００４１】
図７の説明に戻れば、メモリ8には、モニタ18に表示する画像がディジタル放送によるも
のかアナログ放送によるものかの選択によって、格納する画像データを選択する。デジタ
ル放送によるものである場合には、ビデオデコーダ12でデコードした画像データであり、
アナログ放送によるものである場合には、入力プロセッサ33にてディジタル変換した画像
データである。これらはセレクタ40で切り替え、前記リフォーマッタ14に入力し、モニタ
18に適した画像フォーマットに変換し、第2のOSD回路15を介して、さらに第1のDAC16、モニタ駆動回路17を経由しモニタ18に映し出す。アナログ放送による画像データを表示する場合、リフォーマッタ14によるメモリ8からの画像データの読み出しは、前記ディジタルクロックで行われており、該ディジタルクロックで生成する水平、垂直同期信号に基づいて行われるが、入力プロセッサ33による動画像データの取り込み、リフォーマッタ14によるメモリ8からの書き込み、読み出しという一連の動作において、フレームシンクロナイザとしての機能を実現する。
【００４２】
またオーディオ信号に関しては、オーディオデコーダ20でデコードして得るディジタル放
送のオーディオ信号と、アナログ放送チューナ31から得るアナログ放送のオーディオ信号
の両方がスピーカ駆動回路22に供給され、画像データの選択に合わせて、いずれかを選択
し、スピーカ23で音出しを行う。
【００４３】
以上説明した本実施例では、ディジタル放送もアナログ放送も同一モニタ18上に映し出す
ことが出来るため、アナログ放送とディジタル放送に対応した受信機が実現できる。
【実施例５】
【００４４】
次に図９を用いて、本発明の第5の実施例について説明する。これまでの実施例の説明と
同様、重複する部分の説明は割愛する。
【００４５】
図９において、34は第3のリフォーマッタ、35はPinPミキサである。
【００４６】
前述したように入力プロセッサ33は、アナログ放送のビデオ信号をデジタル変換するが、
該出力は第3のリフォーマッタ34に供給する。該第3のリフォーマッタ34も図2で説明した
ものと同一構成のものである。第3のリフォーマッタ34は、アナログ放送のビデオ信号を
、メモリ8を用いながら任意の画像ーフォーマットに変換し、変換後の出力をPinPミキサ3
5に出力する。本実施例は、前記第4の実施例と異なり、アナログ放送のビデオ信号をデジ
タル変換した画像データと前記ビデオデコーダ12でディジタル放送の符号化ビデオストリ
ームをデコードして得る画像データの両方をメモリ8に格納する。第1のリフォーマッタ14
は、ディジタル放送の画像データを任意の画像フォーマットにメモリ8を用いて変換する
。また前記第3のリフォーマッタ34は、アナログ放送の画像データをディジタル放送の画
像データと同一の水平、垂直同期信号に変換するフレームシンクロナイズ機能を有してお
り、これら2つの画像データは、PinPミキサ35にて合成する。合成された画像データは、
第1のDAC16、モニタ駆動回路17を経由し、モニタ18に映し出す。
【００４７】
このように本実施例では、ピクチャインピクチャの表示形式を用いてアナログ放送とディ
ジタル放送の両方の受信画像を同時表示できる。具体的には、フルサイズのディジタル放
送受信画像の任意の位置にウィンドウを設け、これに縮小されたアナログ放送受信画像を
はめ込んだり、これに対してディジタル放送受信画像とアナログ放送受信画像を逆にした
り、概略同サイズのウィンドウをTV画面内に2個設け、それぞれのウィンドウにディジタ
ル放送受信画像とアナログ放送受信画像を映し出したりすることができる。
【００４８】
なお、図４において説明したように、図９の駆動回路17、モニタ18を出力回路26、記録装
置27に置き換えた内臓ＶＴＲの構成としたり、図９のDAC16、駆動回路17、モニタ18を出力回路26、記録装置27に置き換えた内臓ＤＶＤの構成としてもよい。これらの図を図１６、１７に示す。
【実施例６】
【００４９】
図10は、本発明の第6の実施例である。本実施例においては、これまでの実施例で用いら
れてきたブロックのみが用いられており、新たなるものはない。本実施例を図９の第5の
実施例と比較すれば、図６の第3の実施例で説明した第2のリフォーマッタ24、第3のDAC、記録出力回路26、記録装置27、ダウンミキサ28、第4のDACが追加される。これらのブロックは、ディジタル放送のデコードした動画像データの録画用に設けられているものであり、第2のリフォーマッタ24は、第1のリフォーマッタ14、第3のリフォーマッタ34と独立にディジタル放送のデコードした画像データをメモリ8から読み出して、録画用にSDTVの画像フォーマットに変換している。この結果、本実施例ではモニタ18に表示する画像データがアナログ放送によるものかディジタル放送によるものか、あるいは両方をピクチャインピクチャの形式によるものかのいかんに関らず、独立してディジタル放送のデコードした動画像データを記録装置27に記録することを可能にさせる。
【実施例７】
【００５０】
次に図11を用いて、本発明の第7の実施例を説明する。図10に示した第6の実施例と比較し
て説明すれば、第2のアナログ放送アンテナ36、第2のアナログ放送チューナ37、第2のNTSCデコーダ38、第2のPinPミキサ39が追加される。
【００５１】
本実施例では、前記したアナログ放送アンテナ30、アナログ放送チューナ31、NTSCデコーダ32にて第1のアナログ放送受信を行い、第2のアナログ放送アンテナ36、第2のアナログ放送チューナ37、第2のNTSCデコーダ38にて第2のアナログ放送受信を同時に行う。第2のPinPミキサは、内部にメモリ手段を有し、2つの受信したアナログ放送の画像データを同期化させ、ピクチャインピクチャ形式で、合成した1つのアナログ放送の画像データを得る。入力プロセッサ33は、この合成したアナログ放送の画像データを入力して、それ以降、第6の実施例と同じ動作を行う。
【００５２】
この結果本実施例では、アナログ放送とディジタル放送の組み合わせのみならず、アナロ
グ放送同士のピクチャインピクチャも可能となる。またディジタル放送用ののチューナお
よびデコーダをもう一式用意し、第2のアナログ放送アンテナ36、第2のアナログ放送チュ
ーナ37、第2のNTSCデコーダ38と置き換えれば、デジタル放送同士のピクチャインピクチ
ャも可能となる。なお、これらの場合も、図９のピクチャインピクチャの説明と同じ表示
を行うことができる。
【符号の説明】
【００５３】
1……ディジタル放送アンテナ、2……ディジタル放送チューナ、5……トランスポート
デマルチプレクサ、6……ディジタルクロック発生器、7……システムコントローラ、8…
…メモリ、11……ビデオヘッダパーサ、12……ビデオデコーダ、13、15……OSD回路、14
、24、34……リフォーマッタ、16、21、25、29……DAC、17……モニタ駆動回路、18……
モニタ、19……オーディオヘッダパーサ、20……オーディオデコーダ、22……スピーカ駆
動回路、23……スピーカ、26……録画出力回路、27……録画装置、28……ダウンミキサ、
30、36……アナログ放送アンテナ、31、37……アナログ放送チューナ、32、38……NTSCデコーダ、33……入力プロセッサ、35、39……PinPミキサ、40……セレクタ。
【図１】
2011223609.tif 000003
【図２】
2011223609.tif 000004
【図３】
2011223609.tif 000005
【図４】
2011223609.tif 000006
【図５】
2011223609.tif 000007
【図６】
2011223609.tif 000008
【図７】
2011223609.tif 000009
【図８】
2011223609.tif 000010
【図９】
2011223609.tif 000011
【図１０】
2011223609.tif 000012
【図１１】
2011223609.tif 000013
【図１２】
2011223609.tif 000014
【図１３】
2011223609.tif 000015
【図１４】
2011223609.tif 000016
【図１５】
2011223609.tif 000017
【図１６】
2011223609.tif 000018
【図１７】
2011223609.tif 000019
【手続補正書】
【提出日】平成23年6月13日(2011.6.13)
【手続補正２】
【補正対象書類名】明細書
【補正対象項目名】０００１
【補正方法】変更
【補正の内容】
【０００１】
ディジタルデータの記録装置に関する。なお、以下においては、本発明をディジタル放送に適用したものについて説明するが、これに限らず、同様の仕組みで本発明をデータ通信などのデータの送受信に関するものに適用することもできる。
【手続補正３】
【補正対象書類名】明細書
【補正対象項目名】０００４
【補正方法】変更
【補正の内容】
【０００４】
しかしながら、上記特許文献においては、画質、音声フォーマットが異なる２系統以上の放送を受信し記録装置に出力する場合の画像フォーマット変換やＯＳＤ処理について開示されていなかった。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明の目的は、上記した課題を鑑み、放送を受信し、字幕のＯＳＤ処理を行った映像を記録装置に出力する場合に、記録媒体の種類に適した映像のサイズ変換が可能な記録装置をユーザに提供することにある。
【手続補正６】
【補正対象書類名】明細書
【補正対象項目名】０００７
【補正方法】変更
【補正の内容】
【０００７】
上記した目的を達成するため、例えば、特許請求の範囲に記載されるように構成すればよい。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明によれば、放送を受信し、字幕のＯＳＤ処理を行った映像を記録装置に出力する場合に、記録媒体の種類に適した映像のサイズ変換が可能となる。
【手続補正９】
【補正対象書類名】特許請求の範囲
【補正対象項目名】全文
【補正方法】変更
【補正の内容】
【特許請求の範囲】
【請求項１】
受信された映像データに基づく映像に、該映像データとともに受信された字幕データに基づく字幕をオンスクリーンして記録する記録装置であって、
前記字幕をオンスクリーンした映像のサイズを変換する変換部を備えることを特徴とする記録装置。